(57)【要約】【課題】  運気が上昇するイメージができると共に、間違うことなく、次月の予定を記入できると共に、窓形に切り取ることにより、未来を見る感覚で日々過ごすことのできるカレンダーを提供する。【解決手段】  １月から１２月までのカレンダー用紙に横方向に一週間毎の日付表示する表示部を設けると共に、下から上へと日付が加算されてなり、下方より一週間毎に切り目より切り取るカレンダーにおいて、上部と下部に月表示することを特徴とするカレンダー。【選択図】図１
0003125194.tif 000002
【実用新案登録請求の範囲】
【請求項１】
１月から１２月までのカレンダー用紙に横方向に一週間毎の日付表示する表示部を設けると共に、下から上へと日付が加算されてなり、下方より一週間毎に切り目より切り取るカレンダーにおいて、上部と下部に月表示することを特徴とするカレンダー。
【請求項２】
１月から１２月までのカレンダー用紙に、横方向に一週間毎の日付表示する表示部を設けると共に、一週間毎に切り目より切り取るカレンダーにおいて、切り目を窓形に形成してなる切取部を設けてなることを特徴とするカレンダー。
【請求項３】
表示部に、月表示してなることを特徴とする請求項１又は２記載のカレンダー。
【請求項４】
当月と次月のカレンダー用紙の色を変えてなることを特徴とする請求項１、２又は３記載のカレンダー。
【考案の詳細な説明】
【技術分野】
【０００１】  下から上へと日付が加算されるカレンダーにおいて、下から上へ切り離すことにより、上昇する自分をイメージできる上昇カレンダーとして、切り目を窓形にするカレンダーにおいて、未来を見る感覚で日々を過ごす前向きカレンダーとして使用できるカレンダーに関するものである。
【背景技術】
【０００２】  従来の技術として、通常のカレンダーとは逆に、最下段もしくは左下隅に元旦（１月１日）の日付を、最上段もしくは右上隅に年末の日付（１２月３１日）を付したカレンダーがある。（特許文献１参照）【０００３】  また、別の従来技術として、通常のカレンダーと異なり、その月の第一週を一番下の行に、その後の週を順次上の行に配列する。更にミシン穴を入れることで、一週間ごとに破り取り、必要とあらば週毎に記録として綴じることができるカレンダーがある。（特許文献２参照）
【特許文献１】  特開平１０−１４７０７７号公報
【特許文献２】  特開平９−２６７５８１号公報
【考案の開示】
【考案が解決しようとする課題】
【０００４】  上記前者においては、単に左下隅から右上隅へ目を移しながら見るカレンダーであり、機能的に便利性等が余り見出せない。【０００５】  また、上記後者においては、間違って２ヶ月先を切り取った場合、どの月なのかがわからない場合がある。【０００６】  本考案は、このような従来の構成が有していた問題を解決するものであり、運気が上昇するイメージできると共に、間違うことなく、次月の予定を記入できると共に、窓形に切り取ることにより、未来を見る感覚で日々過ごすことのできるカレンダーを提供することを目的とするものである。
【課題を解決するための手段】
【０００７】  本考案は、上記目的を達成するため、１月から１２月までのカレンダー用紙に横方向に一週間毎の日付表示する表示部を設けると共に、下から上へと日付が加算されてなり、下方より一週間毎に切り目より切り取るカレンダーにおいて、上部と下部に月表示する。
また、１月から１２月までのカレンダー用紙に、横方向に一週間毎の日付表示する表示部を設けると共に、一週間毎に切り目より切り取るカレンダーにおいて、切り目を窓形に形成してなる切取部を設けてなる。
そして、表示部に、月表示してなる。
さらに、当月と次月のカレンダー用紙の色を変えてなることを特徴とする。
【考案の効果】
【０００８】１）、下から上へと日付が加算されるカレンダーにおいて、下から上へと切り離すことにより、上昇する自分をイメージできる上昇カレンダーとして使用できると共に、上部と下部に月表示することにより、切り離す枚数を間違えてもすぐ分かるものである。
２）、切り目を窓形に形成した切取部を１週間単位で切り取ることにより、窓の向こうに新しい未来を見る感覚になり、アンケートにより前向きになるとの声が多くあり、ヤル気を引き出すことができる。
３）、次月と識別（色を変える等により）できるため気分を変えることができ、次月が近づく感覚を覚えることができ、予定の処理がスムーズに行える。
４）、切り離した１週間分のカレンダーは必要に応じてメモ等を保管できる。
【考案の実施するための最良の形態】
【０００９】  カレンダーＫは、１月から１２月までのカレンダー用紙１〜１２（３月分〜１２月分は省略する）に、下から上へと日付が加算されるように、横方向に一週間毎の日付表示する表示部１ａ…（２ａ…）を設けると共に、下方より一週間毎に切り目１ｂ…（２ｂ…）より切り取るもので、各カレンダー用紙１〜１２の上部と下部に月表示１３を設けてなるものである。
なお、１月と２月のカレンダー用紙１・２の色を変えることにより、より識別効果を有することができる。
【００１０】  上記カレンダーＫの使用例について説明する。
まず、１月の第１週（１日〜７日）が終わった時点で、一番下の表示部１ａを切り目１ｂより切り取ることにより、下方の２月のカレンダー用紙２の第１週が見える。
よって、必要事項等があればメモすることができ、かつ月表示１３や色違いで２月であることを確認できる。
【００１１】  次に他の実施例を説明する。
カレンダーＫ１は１月から１２月までのカレンダー用紙Ａ１〜Ａ１２（３月分から１２月分は省略する）に、上から下へと日付が加算されるように、横方向に一週間毎の日付表示する表示部Ａ１ａ…（Ａ２ａ…）を設けると共に、上方より窓形に形成した切り目による切取部Ａ１ｂ…（Ａ２ｂ…）を設けてなるものであり、表示部Ａ１ｂ…（Ａ２ｂ…）に月表示Ａ１３してなるのも一考である。
なお、１月と２月のカレンダー用紙Ａ１・Ａ２の色を変えることにより、より識別効果を有することができる。
【００１２】  上記カレンダーＫ１の使用例について説明する。
まず、１月の第１週（１日〜７日）が終わった時点で、一番上の表示部Ａ１ａを切取部Ａ１ｂに沿って切り取ることにより、下方の２月のカレンダー用紙Ａ２の第１週が窓形に見える。
よって、必要事項等があればメモすることができ、かつ月表示Ａ１３や色違いで２月であることを確認できる。
【００１３】  上記各実施例におけるカレンダー用紙の材質や大きさは特に限定するものではなく、自由に選定すればよい。
また、色も特に限定するものではなく、識別できればよい。
【図面の簡単な説明】
【００１４】
【図１】  本考案の第１実施例を示すカレンダーの１月カレンダー用紙の正面図。
【図２】  本考案の第１実施例を示すカレンダーの２月カレンダー用紙の正面図。
【図３】  本考案の第１実施例を示すカレンダーの１月〜２月を組み合わせた使用状態の正面図。
【図４】  本考案の第２実施例を示すカレンダーの１月カレンダー用紙の正面図。
【図５】  本考案の第２実施例を示すカレンダーの２月カレンダー用紙の正面図。
【図６】  本考案の第２実施例を示すカレンダーの１月〜２月を組み合わせた使用状態の正面図。
【符号の説明】
【００１５】  １−−−１月カレンダー用紙
２−−−２月カレンダー用紙
１３−−月表示
Ｋ−−−カレンダー
ａ−−−表示部
ｂ−−−切取部
【図１】
0003125194.tif 000003
【図２】
0003125194.tif 000004
【図３】
0003125194.tif 000005
【図４】
0003125194.tif 000006
【図５】
0003125194.tif 000007
【図６】
0003125194.tif 000008
【手続補正書】
【提出日】平成18年6月8日(2006.6.8)
【手続補正１】
【補正対象書類名】実用新案登録請求の範囲
【補正対象項目名】全文
【補正方法】変更
【補正の内容】
【実用新案登録請求の範囲】
【請求項１】
１月から１２月までのカレンダー用紙に横方向に一週間毎の日付表示する表示部を設けると共に、下から上へと日付が加算されてなり、下方より一週間毎に切り目より切り取るカレンダーにおいて、上部と下部に月表示することを特徴とするカレンダー。
【請求項２】
１月から１２月までのカレンダー用紙に、横方向に一週間毎の日付表示する表示部を設けると共に、一週間毎に切り目より切り取るカレンダーにおいて、切り目を窓形に形成してなる切取部を設けてなることを特徴とする請求項１記載のカレンダー。
【請求項３】
表示部に、月表示してなることを特徴とする請求項１又は２記載のカレンダー。
【請求項４】
当月と次月のカレンダー用紙の色を変えてなることを特徴とする請求項１、２又は３記載のカレンダー。